【手続補正書】
【提出日】令和3年10月21日(2021.10.21)
【手続補正１】
【補正対象書類名】特許請求の範囲
【補正対象項目名】全文
【補正方法】変更
【補正の内容】
【特許請求の範囲】
【請求項１】
２つのアセンブリ（４，５）を着脱可能に連結する連結装置（１）であって、前記アセンブリ（４，５）のうちの第１のアセンブリに固定可能でありかつ負圧要素（２７）を有する締結モジュール（２）を備え、
前記負圧要素が、前記アセンブリ（４，５）を連結するために前記アセンブリ（５，４）のうちの第２のアセンブリの取付部分（５０）に取付方向（Ａ）で連結可能であり、かつ、連結状態において、前記締結モジュール（２）および前記取付部分（５０）に前記取付方向（Ａ）とは反対方向に荷重がかかったとき、前記負圧要素（２７）と前記取付部分（５０）との間の負圧の作用により前記負圧要素（２７）および前記取付部分（５０）の連結が維持されるように、前記取付部分（５０）と相互に作用する、連結装置（１）において、
前記締結モジュール（２）が、前記負圧要素（２７）に対して調整可能な調整要素であって、前記取付部分（５０）から前記負圧要素（２７）を外すために前記負圧要素（２７）に対して移動可能な調整要素（２３）を有し、
前記アセンブリ（４，５）のうちの前記第１のアセンブリが、前記アセンブリ（４，５）のうちの当該第１のアセンブリと前記アセンブリ（４，５）のうちの前記第２のアセンブリとにおける相対移動により前記調整要素（２３）の移動が生じるように、前記調整要素に連結可能であることを特徴とする連結装置（１）。
【請求項２】
請求項１に記載の連結装置（１）において、前記締結モジュール（２）が、前記負圧要素（２７）に対する前記調整要素（２３）の移動の結果として、前記負圧要素（２７）と前記取付部分（５０）との間の空間（Ｂ）に空気を流入させるために開放することができる流れ開口（２５１，２７４）を有することを特徴とする連結装置（１）。
【請求項３】
請求項２に記載の連結装置（１）において、前記調整要素（２３）が、前記連結装置（１）の前記連結状態において前記負圧要素（２７）に対して第１位置をとり、前記取付部分（５０）から前記負圧要素（２７）を取り外すために、前記流れ開口（２５１，２７４）を開放するように前記第１位置から脱するよう調整可能であることを特徴とする連結装置（１）。
【請求項４】
請求項１から３のいずれか一項に記載の連結装置（１）において、前記負圧要素（２７）が少なくとも部分的に弾性を有するカップ要素からなり、前記取付部分（５０）が前記第２のアセンブリ（５）に形成された取付面からなり、前記アセンブリ（２，３）を連結するために、前記取付面に前記負圧要素（２７）を接触させることができることを特徴とする連結装置（１）。
【請求項５】
請求項１から４のいずれか一項に記載の連結装置（１）において、前記調整要素（２３）が、前記負圧要素（２７）または前記負圧要素（２７）に固定して連結されている要素に案内されることを特徴とする連結装置（１）。
【請求項６】
請求項１から５のいずれか一項に記載の連結装置（１）において、前記調整要素（２３）が、前記負圧要素（２７）に対して回転可能、移動可能および／または傾動可能であることを特徴とする連結装置（１）。
【請求項７】
請求項１から６のいずれか一項に記載の連結装置（１）において、前記締結モジュール（２）が、前記負圧要素（２７）に対して移動可能な作動要素（２８）を有し、前記アセンブリ（４，５）のうちの前記第１のアセンブリが、前記作動要素に固定可能であり、前記作動要素が、当該作動要素（２８）が作動されたときに前記調整要素（２３）が移動されるように前記調整要素（２３）と相互に作用することを特徴とする連結装置（１）。
【請求項８】
請求項１から７のいずれか一項に記載の連結装置（１）において、前記調整要素（２３）が、前記負圧要素（２７）に連結された円筒部（２５）に案内され、前記円筒部（２５）に対して調整可能であることを特徴とする連結装置（１）。
【請求項９】
請求項１から８のいずれか一項に記載の連結装置（１）において、前記第２のアセンブリ（５）の前記取付部分（５０）に固定可能な取付アセンブリ（３）であって、取付部（３０）を有する取付アセンブリを有し、前記締結モジュール（２）が、前記アセンブリ（４，５）を連結するために前記取付部と相互に作用するように配置されることができることを特徴とする連結装置（１）。
【請求項１０】
請求項１から９のいずれか一項に記載の連結装置（１）において、前記締結モジュール（２）が、前記アセンブリ（４，５）同士の連結を磁気的に補助する第１磁石要素（２４）を有することを特徴とする連結装置（１）。
【請求項１１】
請求項１から１０のいずれか一項に記載の連結装置（１）において、前記締結モジュール（２）が、前記取付部分（５０）と関連付けられた少なくとも１つの対応する接触要素（７）と前記連結状態において電気的に接触する、少なくとも１つの電気的接触要素（６）を有することを特徴とする連結装置（１）。
【請求項１２】
電子機器、特に、カメラまたは携帯電話であって、当該電子機器を関連するアセンブリに連結するために請求項１から１１のいずれか一項に記載の連結装置（１）を備える電子機器。
【請求項１３】
電子機器（４，５）、特に、カメラまたは携帯電話であって、当該電子機器（４，５）を他のアセンブリ（５，４）に着脱可能に連結するための連結装置（１）を備え、
前記連結装置（１）が、負圧要素（２７）を有する締結モジュール（２）を備え、
前記負圧要素が、前記電子機器（４，５）を前記他のアセンブリ（５，４）に連結するために取付部分（５０）に取付方向（Ａ）で連結可能であり、かつ、連結状態において、前記締結モジュール（２）および前記取付部分（５０）に前記取付方向（Ａ）とは反対方向に荷重がかかったとき、前記負圧要素（２７）と前記取付部分（５０）との間の負圧の作用により前記負圧要素（２７）および前記取付部分（５０）の連結が維持されるように、前記取付部分（５０）と相互に作用し、
前記締結モジュール（２）が、前記他のアセンブリ（５，４）に対する前記電子機器（４，５）の連結を磁気的に補助する第１磁石要素（２４）を有する電子機器（４，５）において、
前記締結モジュール（２）が、前記負圧要素（２７）に対する前記調整要素（２３）の移動の結果として、前記負圧要素（２７）と前記取付部分（５０）との間の空間（Ｂ）に空気を流入させるために開放することができる流れ開口（２５１，２７４）を有することを特徴とする電子機器（４，５）。
【請求項１４】
請求項１３に記載の電子機器（４，５）において、前記第１磁石要素（２４）が、前記負圧要素（２７）に配置されていることを特徴とする電子機器（４，５）。
【請求項１５】
請求項１３または１４に記載の電子機器（４，５）において、前記締結モジュール（２）の前記第１磁石要素（２４）と磁気的に相互に作用するために、前記取付部分（５０）に固定可能な第２磁石要素（３１）を有することを特徴とする電子機器（４，５）。
【請求項１６】
請求項１３から１５のいずれか一項に記載の電子機器（４，５）において、前記負圧要素（２７）が、少なくとも部分的に弾性を有するカップ要素からなることを特徴とする電子機器（４，５）。
【請求項１７】
請求項１３から１６のいずれか一項に記載の電子機器（４，５）において、前記締結モジュール（２）が、前記取付部分（５０）と関連付けられた少なくとも１つの対応する接触要素（７）と前記連結状態において電気的に接触する、少なくとも１つの電気的接触要素（６）を有することを特徴とする電子機器（４，５）。
【請求項１８】
ヘルメット（５）、特に、スポーツ用ヘルメットであって、当該ヘルメット（５）を他のアセンブリ（４）に着脱可能に連結するための連結装置（１）を備え、
前記連結装置（１）が、負圧要素（２７）を有する締結モジュール（２）を備え、
前記負圧要素が、前記ヘルメット（５）を前記他のアセンブリ（４）に連結するために取付部分（５０）に取付方向（Ａ）で連結可能であり、かつ、連結状態において、前記締結モジュール（２）および前記取付部分（５０）に前記取付方向（Ａ）とは反対方向に荷重がかかったとき、前記負圧要素（２７）と前記取付部分（５０）との間の負圧の作用により前記負圧要素（２７）および前記取付部分（５０）の連結が維持されるように、前記取付部分（５０）と相互に作用するヘルメット（５）において、
前記締結モジュール（２）が、前記他のアセンブリ（４）に対する前記ヘルメット（５）の連結を磁気的に補助する第１磁石要素（２４）を有することを特徴とするヘルメット（５）。
【請求項１９】
請求項１８に記載のヘルメット（５）において、前記締結モジュール（２）が、前記負圧要素（２７）に対する前記調整要素（２３）の移動の結果として、前記負圧要素（２７）と前記取付部分（５０）との間の空間（Ｂ）に空気を流入させるために開放することができる流れ開口（２５１，２７４）を有することを特徴とするヘルメット（５）。
【請求項２０】
請求項１８または１９に記載のヘルメット（５）において、前記第１磁石要素（２４）が、前記負圧要素（２７）に配置されていることを特徴とするヘルメット（５）。
【請求項２１】
請求項１８から２０のいずれか一項に記載のヘルメット（５）において、前記締結モジュール（２）の前記第１磁石要素（２４）と磁気的に相互に作用するために、前記取付部分（５０）に固定可能な第２磁石要素（３１）を有することを特徴とするヘルメット（５）。
【請求項２２】
請求項１８から２１のいずれか一項に記載のヘルメット（５）において、前記負圧要素（２７）が、少なくとも部分的に弾性を有するカップ要素からなることを特徴とするヘルメット（５）。
【請求項２３】
請求項１８から２２のいずれか一項に記載のヘルメット（５）において、前記締結モジュール（２）が、前記取付部分（５０）と関連付けられた少なくとも１つの対応する接触要素（７）と前記連結状態において電気的に接触する、少なくとも１つの電気的接触要素（６）を有することを特徴とするヘルメット（５）。
【手続補正２】
【補正対象書類名】明細書
【補正対象項目名】０１３６
【補正方法】変更
【補正の内容】
【０１３６】
本明細書に記載した形式の連結装置は、全く異なるアセンブリ同士を固定するために使用することができる。特に、この連結装置の用途は、本明細書に記載した例に限定されない。有利なことに、この連結装置は、例えばカメラまたは携帯電話などの電子機器を固定するために使用してもよい。しかし、必ずしもこれに限定されない。
なお、本発明は、実施の態様として以下の内容を含む。
［態様１］
２つのアセンブリ（４，５）を着脱可能に連結する連結装置（１）であって、前記アセンブリ（４，５）のうちの第１のアセンブリに固定可能でありかつ負圧要素（２７）を有する締結モジュール（２）を備え、
前記負圧要素が、前記アセンブリ（４，５）を連結するために前記アセンブリ（５，４）のうちの第２のアセンブリの取付部分（５０）に取付方向（Ａ）で連結可能であり、かつ、連結状態において、前記締結モジュール（２）および前記取付部分（５０）に前記取付方向（Ａ）とは反対方向に荷重がかかったとき、前記負圧要素（２７）と前記取付部分（５０）との間の負圧の作用により前記負圧要素（２７）および前記取付部分（５０）の連結が維持されるように、前記取付部分（５０）と相互に作用する、連結装置（１）において、
前記締結モジュール（２）が、前記負圧要素（２７）に対して調整可能な調整要素であって、前記取付部分（５０）から前記負圧要素（２７）を外すために前記負圧要素（２７）に対して移動可能な調整要素（２３）を有し、
前記アセンブリ（４，５）のうちの前記第１のアセンブリが、前記アセンブリ（４，５）のうちの当該第１のアセンブリと前記アセンブリ（４，５）のうちの前記第２のアセンブリとにおける相対移動により前記調整要素（２３）の移動が生じるように、前記調整要素に連結可能であることを特徴とする連結装置（１）。
［態様２］
態様１に記載の連結装置（１）において、前記締結モジュール（２）が、前記負圧要素（２７）に対する前記調整要素（２３）の移動の結果として、前記負圧要素（２７）と前記取付部分（５０）との間の空間（Ｂ）に空気を流入させるために開放することができる流れ開口（２５１，２７４）を有することを特徴とする連結装置（１）。
［態様３］
態様２に記載の連結装置（１）において、前記調整要素（２３）が、前記連結装置（１）の前記連結状態において前記負圧要素（２７）に対して第１位置をとり、前記取付部分（５０）から前記負圧要素（２７）を取り外すために、前記流れ開口（２５１，２７４）を開放するように前記第１位置から脱するよう調整可能であることを特徴とする連結装置（１）。
［態様４］
態様３に記載の連結装置（１）において、前記調整要素（２３）が、前記負圧要素（２７）に対して前記第１位置をとるように、ばねにより付勢されていることを特徴とする連結装置（１）。
［態様５］
態様１から４のいずれか一態様に記載の連結装置（１）において、前記負圧要素（２７）が少なくとも部分的に弾性を有するカップ要素からなり、前記取付部分（５０）が前記第２のアセンブリ（５）に形成された取付面からなり、前記アセンブリ（２，３）を連結するために、前記取付面に前記負圧要素（２７）を接触させることができることを特徴とする連結装置（１）。
［態様６］
態様１から５のいずれか一態様に記載の連結装置（１）において、前記調整要素（２３）が、前記負圧要素（２７）または前記負圧要素（２７）に固定して連結されている要素に案内されることを特徴とする連結装置（１）。
［態様７］
態様１から６のいずれか一態様に記載の連結装置（１）において、前記調整要素（２３）が、前記負圧要素（２７）に対して回転可能、移動可能および／または傾動可能であることを特徴とする連結装置（１）。
［態様８］
態様１から７のいずれか一態様に記載の連結装置（１）において、前記締結モジュール（２）が、前記負圧要素（２７）に対して移動可能な作動要素（２８）を有し、前記アセンブリ（４，５）のうちの前記第１のアセンブリが、前記作動要素に固定可能であり、前記作動要素が、当該作動要素（２８）が作動されたときに前記調整要素（２３）が移動されるように前記調整要素（２３）と相互に作用することを特徴とする連結装置（１）。
［態様９］
態様１から８のいずれか一態様に記載の連結装置（１）において、前記調整要素（２３）が、前記負圧要素（２７）に連結された円筒部（２５）に案内され、前記円筒部（２５）に対して調整可能であることを特徴とする連結装置（１）。
［態様１０］
態様９に記載の連結装置（１）において、前記調整要素（２３）が、前記円筒部（２５）に対して、螺旋の一部に沿って延びる案内トラック（２１１）に案内されることを特徴とする連結装置（１）。
［態様１１］
態様１０に記載の連結装置（１）において、前記締結モジュール（２）が、前記円筒部（２５）の周囲で円周方向に延在する側面（２１０）をもつ案内部（２１）を有し、前記案内トラック（２１１）が、前記側面に形成されていることを特徴とする連結装置（１）。
［態様１２］
態様９から１１のいずれか一態様に記載の連結装置（１）において、前記調整要素（２３）における頭部（２３２）が、前記円筒部（２５）の円筒キャビティ（２５３）内にあり、前記調整要素（２３）が、前記円筒部（２５）における前記円筒キャビティ（２５３）を囲む内面（２５０）に沿って摺動自在に調整可能であることを特徴とする連結装置（１）。
［態様１３］
態様１２に記載の連結装置（１）において、前記頭部（２３２）が、前記内面（２５０）に液密に当接することを特徴とする連結装置（１）。
［態様１４］
態様１から１３のいずれか一態様に記載の連結装置（１）において、前記第２のアセンブリ（５）の前記取付部分（５０）に固定可能な取付アセンブリ（３）であって、取付部（３０）を有する取付アセンブリを有し、前記締結モジュール（２）が、前記アセンブリ（４，５）を連結するために前記取付部と相互に作用するように配置されることができることを特徴とする連結装置（１）。
［態様１５］
態様１４に記載の連結装置（１）において、前記調整要素（２３）が第１押し込み結合部（２３３）を有し、前記取付部（３０）が第２押し込み結合部（３００）を有し、これらの押し込み結合部が、前記締結モジュール（２）と前記取付部（３０）とが組み付けられている間、押し込み結合により係合して、前記締結モジュール（２）と前記取付部分（５０）とにおける相対的な横方向の移動を阻止することを特徴とする連結装置（１）。
［態様１６］
態様１４または１５に記載の連結装置（１）において、前記負圧要素（２７）または前記負圧要素（２７）に連結された要素が第１係合部（２５２）を有し、前記取付部（３０）が第２係合部（３０１）を有し、これらの係合部が、前記締結モジュール（２）と前記取付部（３０）とが組み付けられている間、係合して、前記取付部（３０）に対する前記負圧要素（２７）の回転動作を阻止することを特徴とする連結装置（１）。
［態様１７］
態様１から１６のいずれか一態様に記載の連結装置（１）において、前記締結モジュール（２）が、前記アセンブリ（４，５）同士の連結を磁気的に補助する第１磁石要素（２４）を有することを特徴とする連結装置（１）。
［態様１８］
態様１７に記載の連結装置（１）において、前記第１磁石要素（２４）が、前記調整要素（２３）に配置されており、前記調整要素（２３）と共に調整可能であることを特徴とする連結装置（１）。
［態様１９］
態様１７に記載の連結装置（１）において、前記第１磁石要素（２４）が、前記負圧要素（２７）に配置されていることを特徴とする連結装置（１）。
［態様２０］
態様１７から１９のいずれか一態様に記載の連結装置（１）において、前記締結モジュール（２）の前記第１磁石要素（２４）と磁気的に相互に作用するために、前記取付部分（５０）に固定可能な第２磁石要素（３１）を有することを特徴とする連結装置（１）。
［態様２１］
態様１から２０のいずれか一態様に記載の連結装置（１）において、前記締結モジュール（２）が、前記取付部分（５０）と関連付けられた少なくとも１つの対応する接触要素（７）と前記連結状態において電気的に接触する、少なくとも１つの電気的接触要素（６）を有することを特徴とする連結装置（１）。
［態様２２］
電子機器、特に、カメラまたは携帯電話であって、当該電子機器を関連するアセンブリに連結するために態様１から２１のいずれか一態様に記載の連結装置（１）を備える電子機器。
［態様２３］
電子機器（４，５）、特に、カメラまたは携帯電話であって、当該電子機器（４，５）を他のアセンブリ（５，４）に着脱可能に連結するための連結装置（１）を備え、
前記連結装置（１）が、負圧要素（２７）を有する締結モジュール（２）を備え、
前記負圧要素が、前記電子機器（４，５）を前記他のアセンブリ（５，４）に連結するために取付部分（５０）に取付方向（Ａ）で連結可能であり、かつ、連結状態において、前記締結モジュール（２）および前記取付部分（５０）に前記取付方向（Ａ）とは反対方向に荷重がかかったとき、前記負圧要素（２７）と前記取付部分（５０）との間の負圧の作用により前記負圧要素（２７）および前記取付部分（５０）の連結が維持されるように、前記取付部分（５０）と相互に作用する電子機器（４，５）において、
前記締結モジュール（２）が、前記他のアセンブリ（５，４）に対する前記電子機器（４，５）の連結を磁気的に補助する第１磁石要素（２４）を有することを特徴とする電子機器（４，５）。
［態様２４］
態様２３に記載の電子機器（４，５）において、前記第１磁石要素（２４）が、前記負圧要素（２７）に配置されていることを特徴とする電子機器（４，５）。
［態様２５］
態様２３または２４に記載の電子機器（４，５）において、前記締結モジュール（２）の前記第１磁石要素（２４）と磁気的に相互に作用するために、前記取付部分（５０）に固定可能な第２磁石要素（３１）を有することを特徴とする電子機器（４，５）。
［態様２６］
態様２３から２５のいずれか一態様に記載の電子機器（４，５）において、前記負圧要素（２７）が、少なくとも部分的に弾性を有するカップ要素からなることを特徴とする電子機器（４，５）。
［態様２７］
態様２３から２６のいずれか一態様に記載の電子機器（４，５）において、前記締結モジュール（２）が、前記取付部分（５０）と関連付けられた少なくとも１つの対応する接触要素（７）と前記連結状態において電気的に接触する、少なくとも１つの電気的接触要素（６）を有することを特徴とする電子機器（４，５）。
［態様２８］
ヘルメット（５）、特に、スポーツ用ヘルメットであって、当該ヘルメット（５）を他のアセンブリ（４）に着脱可能に連結するための連結装置（１）を備え、
前記連結装置（１）が、負圧要素（２７）を有する締結モジュール（２）を備え、
前記負圧要素が、前記ヘルメット（５）を前記他のアセンブリ（４）に連結するために取付部分（５０）に取付方向（Ａ）で連結可能であり、かつ、連結状態において、前記締結モジュール（２）および前記取付部分（５０）に前記取付方向（Ａ）とは反対方向に荷重がかかったとき、前記負圧要素（２７）と前記取付部分（５０）との間の負圧の作用により前記負圧要素（２７）および前記取付部分（５０）の連結が維持されるように、前記取付部分（５０）と相互に作用するヘルメット（５）において、
前記締結モジュール（２）が、前記他のアセンブリ（４）に対する前記ヘルメット（５）の連結を磁気的に補助する第１磁石要素（２４）を有することを特徴とするヘルメット（５）。
［態様２９］
態様２８に記載のヘルメット（５）において、前記第１磁石要素（２４）が、前記負圧要素（２７）に配置されていることを特徴とするヘルメット（５）。
［態様３０］
態様２８または２９に記載のヘルメット（５）において、前記締結モジュール（２）の前記第１磁石要素（２４）と磁気的に相互に作用するために、前記取付部分（５０）に固定可能な第２磁石要素（３１）を有することを特徴とするヘルメット（５）。
［態様３１］
態様２８から３０のいずれか一態様に記載のヘルメット（５）において、前記負圧要素（２７）が、少なくとも部分的に弾性を有するカップ要素からなることを特徴とするヘルメット（５）。
［態様３２］
態様２８から３１のいずれか一態様に記載のヘルメット（５）において、前記締結モジュール（２）が、前記取付部分（５０）と関連付けられた少なくとも１つの対応する接触要素（７）と前記連結状態において電気的に接触する、少なくとも１つの電気的接触要素（６）を有することを特徴とするヘルメット（５）。
［態様３３］
容器本体（５１）と、
前記容器本体（５１）に配置可能な蓋（２９）と、
前記容器本体（５１）に前記蓋（２９）を着脱可能に連結する連結装置（１）と
を備える容器、特に、飲料用ボトルにおいて、
前記連結装置（１）が、負圧要素（２７）を有する締結モジュール（２）を備え、
前記負圧要素が、前記容器本体（５１）に前記蓋（２９）を連結するために取付アセンブリ（３）に取付方向（Ａ）で連結可能であり、かつ、連結状態において、前記蓋（２９）および前記容器本体（５１）に前記取付方向（Ａ）とは反対方向に荷重がかかったとき、前記負圧要素（２７）と前記取付アセンブリ（３）との間の負圧の作用により前記締結モジュール（２）および前記取付アセンブリ（３）の連結が維持されるように、前記取付アセンブリ（３）と相互に作用することを特徴とする容器。
［態様３４］
態様３３に記載の容器において、前記容器本体（５１）に対する前記蓋（２９）の連結を磁気的に補助するために、前記締結モジュール（２）が第１磁石要素（２４）を有し、前記取付アセンブリ（３）が第２磁石要素（３１）を有することを特徴とする容器。
［態様３５］
態様３３または３４に記載の容器において、前記締結モジュール（２）が、前記容器本体（５１）から前記蓋（２９）を取り外すために、前記取付アセンブリ（３）に対して開放方向（Ｏ）に移動可能であることを特徴とする容器。
［態様３６］
態様３５に記載の容器において、前記締結モジュール（２）が複数の第１磁石要素（２４）を有し、前記取付アセンブリ（３）が複数の第２磁石要素（３１）を有し、前記第１磁石要素（２４）と第２磁石要素（３１）とが、前記連結状態において磁気吸引作用により相互に作用し、前記連結状態から脱して前記開放方向（Ｏ）に相対的に移動した状態において磁気反発作用により相互に作用することを特徴とする容器。
［態様３７］
態様３３から３６のいずれか一態様に記載の容器において、前記負圧要素（２７）が、少なくとも部分的に弾性を有するカップ要素からなることを特徴とする容器。
［態様３８］
態様３３から３７のいずれか一態様に記載の容器において、前記締結モジュール（２）が前記蓋（２９）の構成部分であり、前記取付アセンブリ（３）が前記容器本体（５１）に連結されていることを特徴とする容器。